(57)【要約】【課題】撮影画像に含まれるノイズの量について、撮影者が撮影画像に対応させて撮影前に確認できる撮像装置を提供する。【解決手段】撮像装置は、撮像部１１によって撮影された映像信号を、表示部３に表示する画面に動画として表示しながら、その撮影された映像信号を静止画又は動画で記録する機能を有する。ノイズ量検出部１４は、撮影された映像信号に含まれるノイズの量を検出する。表示制御部１５は、ノイズ量検出部１４で検出されたノイズの量を電力レベル又は信号対雑音比に基づいて表示部３に表示する。【選択図】図２
2010114670.tif 000002
【特許請求の範囲】
【請求項１】
撮像部によって撮像された映像信号を、表示部に表示する画面に動画として表示しながら該撮像された映像信号を静止画又は動画で記録する機能を有する撮像装置であって、
前記撮像された映像信号に含まれるノイズの量を検出するノイズ量検出部と、
前記ノイズ量検出部で検出されたノイズの量を雑音電力又は信号対雑音比に基づいて表示するノイズレベル表示部と、
を備えることを特徴とする撮像装置。
【請求項２】
前記ノイズレベル表示部は、
前記検出されたノイズの量を示す表示を前記撮像された映像信号に合成し前記表示部に表示する画面に表示する
ことを特徴とする請求項１に記載の撮像装置。
【請求項３】
前記ノイズ量検出部は、
前記画面が複数の領域に分割され、該分割された領域ごとにノイズの量を検出し、
前記ノイズレベル表示部は、
前記検出されたノイズの量を示す数値による表示を前記撮像された映像信号に合成し、前記複数に分割された領域の位置に対応する位置に該領域におけるノイズの量をそれぞれ表示する
ことを特徴とする請求項２に記載の撮像装置。
【請求項４】
前記ノイズ量検出部は、
前記画面に表示される特徴のある被写体を抽出し、該被写体の領域と該被写体以外の領域とに分割され、該分割された領域ごとにノイズの量を検出し、
前記ノイズレベル表示部は、
前記画面が複数の領域に分割され、該分割された領域ごとのノイズの量を数値化して、該数値を前記撮像された映像信号に合成し前記表示部に表示する画面に表示する
ことを特徴とする請求項２に記載の撮像装置。
【請求項５】
前記ノイズレベル表示部は、
前記画面がノイズの量に応じて複数の領域に分割され、該分割された領域のノイズの量の代表値を数値化して示し、該複数の領域の範囲を示す等高線或は等色線を前記撮像された映像信号に合成し前記表示部に表示する画面に表示する
ことを特徴とする請求項２に記載の撮像装置。
【発明の詳細な説明】
【技術分野】
【０００１】
本発明は、撮影された映像信号に含まれるノイズの量を表示する撮像装置に関する。
【背景技術】
【０００２】
撮像装置では、撮影した映像を電気信号に変換し、デジタル信号として記録するデジタルカメラが普及している。そのようなデジタルカメラを用いた撮影では、従来のフィルムでの撮影とは異なり、撮影した画像を撮影直後に確認することが容易に行える。撮影された結果をその場で確認できることが、デジタルカメラの特徴である。撮影された映像の確認は、撮像装置に設けられた表示部に画像を表示して主観的な評価方法によって行われている。
映像の品質を客観的に評価する方法として、その映像信号に含まれるノイズの量に基づいて評価する方法が知られている。ノイズの量による評価方法をデジタルカメラに適用し、撮影時に目標とされるノイズの量を撮影者（ユーザー）が指定して撮影する技術が開示されている（例えば、特許文献１参照）。
【０００３】
特許文献１には、図１２に示される処理を行う画像処理装置３００が示されている。
画像処理装置３００では、まず、ノイズレベル指定手段３０１が、ユーザーの指示に基づいてノイズレベルの優先度を指定する。画像サイズ制限値指定手段３０２では、ユーザーの指示に基づいて画像のサイズの制限値を指定する。画像サイズ設定手段３０３において、ノイズレベルを少なくするノイズレベル優先が指定された場合、撮影を許可する画像のサイズを制限する。その制限は、ＩＳＯ値に基づいて規定されるサイズに比べて、大きい画像サイズを候補として示し、示された画像サイズの候補の中から選択させ、選択されたサイズに設定する。画像サイズ変換手段３０４では、設定されたサイズに画像のサイズを変換する。
【０００４】
図１３には、ノイズレベルを指定する際に、表示部に表示される画面表示３３０の例が示されている。画面表示３３０は、画像サイズ設定手段３０３において「ノイズレベル優先」が指定された場合に表示部に示される。画面表示３３０には、ノイズレベルを指定するノイズレベルウィンドウ３３１と、画像のサイズの制限値を指定する制限値ウィンドウ３３２が表示される。
ノイズレベルウィンドウ３３１は、ノイズレベルを制限するための設定入力画面である。ノイズレベルウィンドウ３３１には、ノイズレベルの許容値を高くして設定する「第１のレベル」、第１のレベルより許容値を低くして設定する「第２のレベル」、及び第２のレベルより許容値をさらに低くして設定する「第３のレベル」の３つのノイズレベルが示される。この３段階の許容値を示すレベルの表示に基づいて、そのいずれかを指定して撮影を行うことができる。
画像処理装置３００は、このノイズレベルの指定に基づいて制限された画像サイズに適した各種設定を選択し、必要とされるノイズレベルの範囲に収まるように撮影することが可能になる。
【特許文献１】特開平７−０１３８４４号公報
【発明の開示】
【発明が解決しようとする課題】
【０００５】
ところで、デジタルカメラでは、レンズで集光した光を電気信号に変換し、その電気信号に基づく映像を表示部に表示して、従来の光学的に表示するファインダーの代わりに用いる「ライブビュー機能」を有するものがある。ライブビュー機能を有するデジタルカメラでは、撮影する構図を動画で確認しながら設定することができる。
しかしながら、本体に設けられている表示部の大きさでは、構図の確認は行えても画質は確認しにくいという問題がある。
特許文献１による撮像装置は、撮影前にノイズレベルウィンドウ３３１を用いて登録する設定入力によって、許容しうるノイズの量をノイズレベルとして指定できるにすぎず、これから撮影しようとする画像に含まれるノイズの量を撮影前に撮影者が確認できないという問題がある。また、これから撮影しようとする画像の構図やシーンなどの情報に対応させて、その画像におけるノイズの量を確認することもできないという問題がある。
【０００６】
本発明は、上記問題を解決すべくなされたもので、その目的は、撮影画像に含まれるノイズの量について、撮影者が撮影画像に対応させて撮影前に確認できる撮像装置を提供することにある。
【課題を解決するための手段】
【０００７】
上記問題を解決するために、本発明は、撮像部によって撮影された映像信号を、表示部に表示する画面に動画として表示しながら該撮影された映像信号を静止画又は動画で記録する機能を有する撮像装置であって、前記撮影された映像信号に含まれるノイズの量を検出するノイズ量検出部と、前記ノイズ量検出部で検出されたノイズの量を雑音電力又は信号対雑音比に基づいて表示するノイズレベル表示部と、を備えることを特徴とする撮像装置である。
また、本発明は、上記発明において、前記ノイズレベル表示部は、前記検出されたノイズの量を示す表示を前記撮影された映像信号に合成し前記表示部に表示する画面に表示することを特徴とする。
また、本発明は、上記発明において、前記ノイズ量検出部は、前記画面が複数の領域に分割され、該分割された領域ごとにノイズの量を検出し、前記ノイズレベル表示部は、
前記検出されたノイズの量を示す数値による表示を前記撮影された映像信号に合成し、前記複数に分割された領域の位置に対応する位置に該領域におけるノイズの量をそれぞれ表示することを特徴とする。
【０００８】
また、本発明は、上記発明において、前記ノイズ量検出部は、前記画面に表示される特徴のある被写体を抽出し、該被写体の領域と該被写体以外の領域とに分割され、該分割された領域ごとにノイズの量を検出し、前記ノイズレベル表示部は、前記画面が複数の領域に分割され、該分割された領域ごとのノイズの量を数値化して、該数値を前記撮影された映像信号に合成し前記表示部に表示する画面に表示することを特徴とする。
また、本発明は、上記発明において、前記ノイズレベル表示部は、前記画面がノイズの量に応じて複数の領域に分割され、該分割された領域のノイズの量の代表値を数値化して示し、該複数の領域の範囲を示す等高線或は等色線を前記撮像された映像信号に合成し前記表示部に表示する画面に表示することを特徴とする。
【発明の効果】
【０００９】
この本発明によれば、撮像部によって撮影された映像信号を、表示部に表示する画面に動画として表示しながら、その撮影された映像信号を静止画又は動画で記録する機能を有する撮像装置では、ノイズ量検出部によって、撮影された映像信号に含まれるノイズの量を検出する。ノイズ量検出部で検出されたノイズの量を電力レベル又は信号対雑音比に基づいて、表示するノイズレベル表示部によって表示することとした。
これにより、撮影前の画像に含まれるノイズの量を表示部に表示できることから、撮影者が、撮影前にその画像に含まれるノイズの量を確認することができ、撮影者の意図に合致した撮影を行うことが可能になる。
【００１０】
また、本発明によれば、上記発明において、ノイズレベル表示部は、検出されたノイズの量を示す表示を前記撮影された映像信号に合成し前記表示部に表示する画面に表示することとした。
これにより、撮影者に撮影前にノイズの量を、表示部に動画で表示した映像（ライブビュー画像）に合成して表示できることから、撮影者が、構図とノイズの量の両方に対応させた撮影を行うことが可能になる。
【００１１】
また、本発明によれば、上記発明において、ノイズ量検出部は、画面が複数の領域に分割され、その分割された領域ごとにノイズの量を検出する。ノイズレベル表示部は、検出されたノイズの量を示す数値による表示を前記撮影された映像信号に合成し、複数に分割された領域の位置に対応する位置にその領域におけるノイズの量をそれぞれ表示することとした。
これにより、主要被写体と背景などの領域ごとに含まれるノイズの量を表示部に動画で表示した映像（ライブビュー画像）で確認しながら撮影することが可能になる。分割された領域ごとにノイズの量を確認できることにより、撮影者が必要とする撮影者の興味のある領域のノイズの量を低減させた撮影が可能になる。
【００１２】
また、本発明によれば、上記発明において、ノイズ量検出部は、画面に表示される特徴のある被写体を抽出し、該被写体の領域と該被写体以外の領域とに分割する。ノイズ量検出部は、その分割された領域ごとにノイズの量を検出する。ノイズレベル表示部は、画面が複数の領域に分割され、その分割された領域ごとのノイズの量を数値化して、その数値を撮影された映像信号に合成し前記表示部に表示する画面に表示することとした。
これにより、撮影する画像の構図やシーンに応じて変化するノイズの量を確認しながら撮影することが可能になる。撮影する画像から被写体の特徴を用いて、抽出することができ、被写体が示される位置を随時検出し、その被写体とその他の領域に分けて、ノイズの量を考慮した撮影を行うことが可能になる。
【００１３】
ノイズレベル表示部は、画面がノイズの量に応じて複数の領域に分割され、その分割された領域のノイズの量の代表値を数値化して示す。また、ノイズレベル表示部は、それらの複数の領域の範囲を示す等高線或は等色線を撮像された映像信号に合成し前記表示部に表示する画面にスーパーインポーズして表示することとした。
これにより、表示部に動画で表示した映像（ライブビュー画像）にノイズの量を等高線又は等色線によって表示することで、その視認性を向上させて表示することが可能となり、ノイズの量を容易に把握することができ、撮影に集中することを可能にする。
【発明を実施するための最良の形態】
【００１４】
以下、本発明の一実施形態について図を参照して説明する。
（第１実施形態）
図１は、本発明の第１実施形態における撮像装置の構成を示す外観図である。
この図に示される撮像装置１００において、１は撮像装置の本体を示す。
撮像装置１００は、本体１に設けられるレンズ部２、表示部３、操作入力部４を備える。本体１の前面には、レンズ部２が設けられ、そのレンズ部２で集光された光が、本体１内に設けられた図示しない撮像部１１における撮像素子の受光面上に結像して撮影される画像になる。
本体１の背面には、表示部３と設定スイッチ４−１が設けられる。表示部３は、ＬＣＤ（Liquid Crystal Display、液晶ディスプレイ）などからなる。表示部３には、撮像部１１における撮像素子によって電気信号に変換され、その信号に基づいた映像が表示される。このような電気信号を介して表示部３に表示する映像を「ライブビュー画像」と呼び、そのような機能を「ライブビュー機能」と呼ぶ。表示部３には、撮影される画像が表示されるほかに、各種設定や撮影条件の状態が表示される。表示部３の表示及び各種設定内容の変更は設定スイッチ４−１の操作によって行われる。
本体１の上面には、レリーズ釦４−２が設けられ、レリーズ釦４−２の操作により撮影処理が行われる。設定スイッチ４−１及びレリーズ釦４−２を合わせて示すときには、操作入力部４という。
【００１５】
図２は、撮像装置の構成を示すブロック図である。
この図に示される撮像装置１００は、表示部３、操作入力部４、撮像部１１、ＡＤ変換部１２、信号処理部１３、ノイズ量検出部１４、表示制御部１５（ノイズレベル表示部）、記録処理部１６、記憶部１７、操作入力処理部１８、制御部１９を備える。図１に示した構成と同じ構成には、同じ符号を付し、異なる構成の撮像部１１、ＡＤ変換部１２、信号処理部１３、ノイズ量検出部１４、表示制御部１５、記録処理部１６、記憶部１７、操作入力処理部１８及び制御部１９について示す。
【００１６】
撮像装置１００において撮像部１１は、レンズ部２及び撮像素子からなる。撮像部１１は、レンズ部２を介して集光された光が撮像素子の受光面上に結像し、結像した像が撮像素子によって取り込まれる画像となり、その画像が電気信号に変換されたて映像信号として出力される。
ＡＤ変換部１２は、撮像素子によって変換された映像信号をデジタル信号に変換する。
信号処理部１３は、デジタル信号に変換された映像信号に対して、階調処理、スケール変換処理などを行い表示用映像信号を出力する。また、信号処理部１３は、必要な演算処理を行い、記録用の映像情報を出力する。
【００１７】
ノイズ量検出部１４は、デジタル信号に変換された映像信号に含まれるノイズの量を検出する。検出したノイズの量は、処理を選択する設定に応じた演算処理をして出力される。ノイズ量検出部１４が行う演算処理は、指定された領域のノイズの量の最大値の抽出処理及び平均値の算出処理がある。ノイズ量検出部１４によるノイズの量の算定は、画面を構成する特定の位置における各フレームごとの値を検出し、所定の時間（例えば、数百ミリ秒）、すなわち所定のフレーム数における平均値を算出する。また、同じ測定値が示す標準偏差を算出する。それぞれ算出された平均値を標準偏差で除算して、その値をノイズの量として算定することができる。また、測定する位置は、撮像部１１における撮像素子の画素ごととすることができるほかに、演算処理を簡素化させるために、所定の間隔ごとに配置した画素をその画素周辺における測定箇所とすることができる。
【００１８】
表示制御部１５は、信号処理部１３によって出力された表示用映像信号及びノイズ量検出部１４が出力するノイズの量を示す情報を含む信号、制御部１９からは表示制御に関する制御信号が入力され、表示部３に表示する映像を選択し、また、入力された表示用映像信号及びノイズの量を示す情報の合成処理を行い表示部３に入力する映像信号を出力する。表示制御部１５は、制御部１９による設定により、表示文字、文字の大きさ、表示位置、表示文字の表示色、表示継続時間、表示の有無などを制御することができる。
【００１９】
記録処理部１６は、信号処理部１３が出力する記録用の映像情報の入力処理を行い、信号変換とファイル化処理を行って記憶部１７に記憶する。記憶部１７は、書き換え可能な記録媒体によって構成され、記録処理部１６によってファイル化処理が施され、その記録媒体に記録された映像情報を記録する。記憶部１７は、固定的に設けられる記録媒体以外に、着脱可能な記録媒体によって構成することも可能である。
操作入力処理部１８は、操作入力部４によって検出された操作に応じて出力される検出信号の入力処理を行い、制御部１９に検出信号を入力する。
制御部１９は、操作入力処理部１８から入力される信号に基づいて、行う処理に応じて、各種処理部に必要とされる指示を行なって制御する。また、タイミング情報などの変数を設定する。
【００２０】
次に、図を参照し第１実施形態におけるノイズの量を表示する処理について示す。
図３は、第１実施形態におけるノイズの量を表示した表示画面である。
表示部３に割り付けられた表示範囲に表示画面１３１が表示される。その表示画面１３１には、表示制御部１５から出力された映像信号による映像が表示される。この表示画面１３１には、動画として表示される被写体１３２と、撮像部１１における撮像素子が出力し、その映像表示のもととなる信号に含まれるノイズの量を示すノイズ量表示１３３が表示される。このノイズ量表示１３３は、ノイズ量検出部１４によって検出され、検出結果に応じて演算処理された結果を数値化して示された表示である。このノイズ量表示１３３は、動画によって表示される被写体に対応して表示される。そのため、ノイズ量表示１３３は、予め定められた周期によって繰り返して演算処理され、その演算処理結果によって表示される値が更新される。ノイズ量表示１３３は、レリーズ釦４−２の操作が行われると表示が始まり、レリーズ釦４−２を解除すると予め定められた時間まで継続して表示した後、消去される。
【００２１】
ノイズ量表示１３３に示されるノイズの量は、予め設定される演算モード設定に基づいて演算されたノイズの量が表示される。その演算モード設定においては、検出したノイズの量に基づき、ノイズの量を示す雑音電力（最大雑音電力、平均雑音電力）又は雑音対信号比（以下、「Ｓ／Ｎ比」という。）のいずれかを選択して表示させることができる。ノイズ量表示１３３は、予め定められた表示画面上の範囲ごとのノイズの量を表示することができる。その範囲は、ノイズの量を検出する演算処理の対象範囲として選択する演算範囲モード設定によって定められる。これらの演算モード設定と演算範囲設定をノイズ量表示モードの設定という。
【００２２】
この表示画面１３１は、表示画面１３１に表示された全範囲をノイズの量を検出する対象範囲として選択する演算範囲モード設定により予め設定されたものである。
また、このノイズ量表示１３３は、「ノイズレベル５」として表示され、ノイズの量の表示を示す「ノイズレベル」という文字と、実際のノイズの量を示す数字「５」との組み合わせによって示される。
【００２３】
図４は、第２実施形態におけるノイズの量を表示する処理のフローチャートである。
ノイズの量を表示する処理として、最初にノイズ量表示モードの設定処理が行われる。
ノイズ量表示モードの設定処理では、表示制御部１５によって生成された設定処理を行う表示画面が表示部３に表示される。操作入力部４は、ユーザーの操作を検出し、その検出信号の入力処理を操作入力処理部１８が行う。操作入力処理部１８から入力される信号に基づいて、制御部１９は、演算モード設定と演算範囲設定の入力指示を検出する。制御部１９は、その検出結果に基づく設定を内部に備える記憶領域に記録するとともに、ノイズ量検出部１４及び表示制御部１５に指示を出力する。検出結果に基づく設定は、演算モード設定が「雑音電力（平均雑音電力）」とし、演算範囲設定が「全画面」とする。表示制御部１５は、入力された指示にしたがって、ノイズ量表示モード設定の設定内容を表示する（ステップＳａ１）。
【００２４】
続いて、撮像処理が行われる。撮像処理では、操作入力部４におけるレリーズ釦４−２が操作されたことを検出し、検出信号の入力処理を操作入力処理部１８が行う。操作入力処理部１８から入力される信号に基づいて、制御部１９は、撮影処理を行わせる指示を出力する。制御部１９は、撮像部１１に対してレンズ制御指示、撮像素子の動作指示を出力する。撮像部１１は、入力されたレンズ制御指示及び撮像素子の動作指示に基づいて受光した光を電気信号に変換し、映像信号を出力する。ＡＤ変換部１２は、入力された映像信号を、デジタル信号に変換し信号処理部１３及びノイズ量検出部１４に入力する（ステップＳａ２）。
【００２５】
続いて、ノイズの量の検出処理が行われる。ノイズの量の検出処理では、ノイズ量検出部１４は、制御部１９によって指示された演算モード設定と演算範囲設定に基づいてノイズの量の検出処理を行う。演算範囲として演算範囲設定により「全画面」が設定されていることから、ノイズ量検出部１４は、表示部３に表示される画面の全範囲について、それぞれのノイズの量を検出する箇所の雑音電力を抽出する。表示するノイズの量が平均雑音電力による雑音電力量を指示されることから、ノイズ量検出部１４は、抽出したノイズの量を検出する箇所のそれぞれの雑音電力の平均化処理を行い、表示制御部１５に入力する。表示制御部１５は、撮像部１１が出力し信号処理部１３を介して入力される映像信号と、ノイズ量検出部１４から入力されたノイズの量を示す情報から。表示部３に表示する画面を構成する信号を合成し、表示部３に出力する（ステップＳａ３）。
【００２６】
続いて、ノイズの量を検出する処理の終了判定が行われる。ノイズの量を検出する処理の終了判定では、操作入力部４におけるレリーズ釦４−２が解放された状態となったことを判定条件とする。レリーズ釦４−２が解放されたことの検出は、操作入力処理部１８がレリーズ釦４−２の検出信号の入力処理を行い、その検出信号に基づいて操作入力処理部１８から入力される信号を制御部１９が判定する。
制御部１９が、ノイズの量を検出する処理の終了判定において終了と判定しない場合、すなわちレリーズ釦４−２が解放されたと判定しない場合には、ノイズの量を検出する処理を継続し、ステップＳａ２からの処理を繰り返す。
制御部１９が、ノイズの量を検出する処理の終了判定において終了と判定した場合、すなわちレリーズ釦４−２が解放されたと判定した場合には、ノイズの量を検出する処理を終了させる。制御部１９は、撮像部１１、ノイズ量検出部１４及び表示制御部１５にノイズの量を検出する処理の終了を指示し、それぞれの処理を終了させる。表示制御部１５では、ノイズの量を検出する処理の終了指示が入力されると、定められた時間まで最後に表示されたノイズの量の表示を継続して表示させた後、表示画面におけるノイズの量の表示を消去する（ステップＳａ４）。
【００２７】
上記に示した処理により、撮影者に撮影前にノイズの量を、表示部３に動画で表示した映像（ライブビュー画像）にスーパーインポーズして表示できることから、撮影者が、構図とノイズの量の両方に対応させた撮影を行うことが可能になり、撮影者の意図に合致した撮影を行うことが可能になる。
【００２８】
（第２実施形態）
図１及び図２に示した撮像装置１００を用いて、ノイズの量の表示を行う異なる実施形態について説明する。
図５は、第２実施形態におけるノイズの量を表示した表示画面である。
表示部３に割り付けられた表示範囲に表示画面１４１が表示される。その表示画面１４１には、表示制御部１５から出力された映像信号による映像が表示される。この表示画面１４１には、動画として表示される被写体１４２と、撮像部１１における撮像素子が出力し、その映像表示のもととなる信号に含まれるノイズの量が表示される。
【００２９】
このノイズの量の表示では、表示画面１４１が、縦横に設けられた複数の境界線によって複数の領域に分割され、その領域ごとのノイズの量が表示される。この図では、縦に３分割、横に５分割された領域に分割される。
左上隅のノイズの量の表示をノイズ量表示１４３−１１、その右隣をノイズ量表示１４３−１２、右上隅をノイズ量表示１４３−１５、左下隅をノイズ量表示１４３−３１、右下隅をノイズ量表示１４３−３５とする。ノイズ量表示１４３−１１、ノイズ量表示１４３−１２、ノイズ量表示１４３−１５、ノイズ量表示１４３−３１及びノイズ量表示１４３−３５のそれぞれの値は、順に「７」、「２」、「５」、「６」及び「６」として数値で表示されている。各領域のノイズの量の表示をまとめて示すときには、ノイズ量１４３という。
このノイズ量表示１４３は、ノイズ量検出部１４によって検出され、分割された領域を範囲とするそれぞれの検出結果に応じて演算処理された結果が数値化されて示された表示である。このノイズ量表示１４３は、動画で表示される被写体に対応して表示される。そのため、ノイズ量表示１４３は、予め定められた周期によって繰り返して演算処理され、その演算処理結果によって表示される値が更新される。ノイズ量表示１４３は、レリーズ釦４−２の操作が行われると表示が始まり、レリーズ釦４−２を解除すると予め定められた時間まで継続して表示した後、消去される。
【００３０】
ノイズ量表示１４３に示されるノイズの量は、演算モード設定と演算範囲設定からなるノイズ量表示モードの設定に基づいて表示される。
予め設定される演算モード設定に基づいて演算されたノイズの量が表示される。その演算モード設定では、検出したノイズの量に基づき、ノイズの量を示す雑音電力（最大雑音電力、平均雑音電力）又は雑音対信号比（以下、「Ｓ／Ｎ比」という。）のいずれかを選択して表示させることが可能である。ノイズ量表示１４３は、予め定められた表示画面上での分割範囲ごとのノイズの量を表示することができ、その分割範囲の指定は、演算範囲モード設定によって定められる。演算範囲モード設定は、演算処理の対象とするノイズの量を検出する範囲を選択する設定である。
【００３１】
図６は、第２実施形態におけるノイズの量を表示する処理のフローチャートである。
ノイズの量を表示する処理として、最初にノイズ量表示モードの設定処理が行われる。
ノイズ量表示モードの設定処理では、表示制御部１５によって生成された設定処理を行う表示画面が表示部３に表示される。操作入力部４は、ユーザーの操作を検出し、その検出信号の入力処理を操作入力処理部１８が行う。操作入力処理部１８から入力される信号に基づいて、制御部１９は、演算モード設定と演算範囲設定の入力指示を検出する。制御部１９は、入力指示の検出結果を内部に備える記憶領域に記録するとともに、ノイズ量検出部１４及び表示制御部１５に指示を出力する。入力指示の検出結果は、演算モード設定が「雑音電力（平均雑音電力）」とし、演算範囲設定は「分割画面」とする。表示制御部１５は、入力された指示にしたがって、ノイズ量表示モード設定の設定内容を表示する（ステップＳｂ１）。
【００３２】
続いて、撮像処理が行われる。撮像処理は、前述のステップＳａ２と同じ処理とする（ステップＳｂ２）。
続いて、ノイズの量を検出する処理が行われる。ノイズの量を検出する処理では、ノイズ量検出部１４は、制御部１９によって指示された演算モード設定と演算範囲設定に基づいてノイズの量を検出する処理を行う。演算範囲として演算範囲設定により「分割画面」を指示されることから、ノイズ量検出部１４は、表示部３に表示される画面において分割されたそれぞれの領域について、それぞれのノイズの量を検出する箇所の雑音電力を抽出する。表示するノイズの量が平均雑音電力による雑音電力量を指示されることから、ノイズ量検出部１４は、抽出したノイズの量を検出する箇所のそれぞれの雑音電力の平均化処理を行い、表示制御部１５に入力する。表示制御部１５は、撮像部１１が出力し信号処理部１３を介して入力される映像信号と、ノイズ量検出部１４から入力されたノイズの量を示す情報から。表示部３に表示する画面を構成する信号を合成し、表示部３に出力する（ステップＳｂ３）。
【００３３】
続いて、ノイズの量を検出する処理の終了判定が行われる。ノイズの量を検出する処理は、前述のステップＳａ４と同じ処理が行われ、制御部１９が、ノイズの量を検出する処理の終了判定において終了と判定しない場合、すなわちレリーズ釦４−２が解放されたと判定しない場合には、ノイズの量を検出する処理を継続し、ステップＳｂ２からの処理を繰り返す（ステップＳｂ４）。
【００３４】
上記に示した処理により、分割された複数の領域ごとにノイズの量を確認できることから、撮影者が必要とする撮影者の興味のある領域のノイズの量を低減させた撮影が可能になる。
【００３５】
（第３実施形態）
図１及び図２に示した撮像装置１００を用いて、ノイズの量の表示を行う異なる実施形態について説明する。
図７は、第３実施形態におけるノイズの量を表示した表示画面である。
表示部３に割り付けられた表示範囲に表示画面１５１が表示される。その表示画面１５１には、表示制御部１５から出力された映像信号による映像が表示される。この表示画面１５１には、動画として表示される被写体１５２と、撮像部１１における撮像素子が出力し、その映像表示のもととなる信号に含まれるノイズの量が表示される。
【００３６】
このノイズの量の表示では、表示画面１５１が、複数の曲線で示される境界線によって複数の領域に分割され、その領域ごとのノイズの量が表示される。この図では、３つの閉曲線が表示され、それぞれの閉曲線は、内側からそれぞれ等高線１５４−１、１５４−２、１５４−３とする。各等高線をまとめていうときには、等高線１５４という。
等高線１５４によって分割されて示される領域は、ノイズの異なる量を有する範囲を区別して示す領域となる。それぞれの範囲のノイズの量を表示するノイズ量表示１５３−１、１５３−２、１５３−３及び１５３−４の値は、それぞれ「２」、「５」、「８」及び「１０」を示す。各領域のノイズの量の表示をまとめて示すときには、ノイズ量１５３という。
【００３７】
等高線１５４−１の内部は、ノイズ量「２」以下を示す領域を示す。等高線１５４−１の内部を除く等高線１５４−２の内部は、ノイズ量「２」を超え、「５」以下を示す領域を示す。等高線１５４−２の内部を除く等高線１５４−３の内部は、ノイズ量「５」を超え、「８」以下を示す領域を示す。等高線１５４−３の外部は、ノイズ量「８」を超え、「１０」以下を示す領域を示す。
【００３８】
このノイズ量表示１５３は、ノイズ量検出部１４によって検出され、所定の範囲のノイズの量に応じて分割された結果の閾値が表示される。
このノイズ量表示１５３は、動画で表示される被写体に対応して表示される。そのため、ノイズ量表示１５３は、予め定められた周期によって繰り返して演算処理され、その演算処理結果によって表示される値が更新される。ノイズ量表示１５３は、レリーズ釦４−２の操作が行われると表示が始まり、レリーズ釦４−２を解除すると予め定められた時間まで継続して表示した後、消去される。
【００３９】
ノイズ量表示１５３に示されるノイズの量は、演算モード設定と演算範囲設定からなるノイズ量表示モードの設定に基づいて表示される。
予め設定される演算モード設定に基づいて演算される。その演算モード設定では、検出したノイズの量に基づき、ノイズの量を示す雑音電力（最大雑音電力、平均雑音電力）又は雑音対信号比（以下、「Ｓ／Ｎ比」という。）のいずれかを選択することが可能である。ノイズ量表示１５３は、ノイズの量を検出する箇所の所定の範囲ごとにまとめて、その代表値として示される。
演算結果は、予め設定された閾値によって分類され、分類された範囲を示す代表値によってノイズの量が表示される。同じ代表値で示されるノイズの量を示す範囲を、等高線によって表示する。その等高線によって範囲を示す表示の指定は、演算範囲モード設定によって定められる。演算範囲モード設定は、演算処理の対象とする範囲を選択する設定である。
【００４０】
図８は、第３実施形態におけるノイズの量を表示する処理のフローチャートである。
ノイズの量を表示する処理として、最初にノイズ量表示モードの設定処理が行われる。ノイズ量表示モードの設定処理では、表示制御部１５によって生成された設定処理を行う表示画面が表示部３に表示される。操作入力部４は、ユーザーの操作を検出し、その検出信号の入力処理を操作入力処理部１８が行う。操作入力処理部１８から入力される信号に基づいて、制御部１９は、演算モード設定と演算範囲設定の入力指示を検出する。制御部１９は、入力指示の検出結果を内部に備える記憶領域に記録するとともに、ノイズ量検出部１４及び表示制御部１５に指示をする。入力指示の検出結果は、演算モード設定が「雑音電力（平均雑音電力）」とし、演算範囲設定は「等高線表示画面」とする。表示制御部１５は、入力された指示にしたがって、ノイズ量表示モード設定の設定内容を表示する（ステップＳｃ１）。
【００４１】
続いて、撮像処理が行われる。撮像処理は、前述のステップＳａ２と同じ処理とする（ステップＳｃ２）。
続いて、ノイズの量を検出する処理が行われる。ノイズの量を検出する処理では、ノイズ量検出部１４は、制御部１９によって指示された演算モード設定と演算範囲設定に基づいてノイズの量を検出する処理を行う。演算範囲として演算範囲設定により「等高線表示画面」を指示されることから、ノイズ量検出部１４は、表示部３に表示される画面において全ての領域について、それぞれのノイズの量を検出する箇所の雑音電力を抽出する。それらの抽出された雑音電力の値に基づいて、予め定められる閾値にしたがって、ノイズの量を検出する箇所によって検出された雑音電力が、いずれの電力範囲に含まれるかを算定する。
算定された結果にしたがい、同じ範囲に含まれる雑音電力の値の箇所をグルーピング化する。ノイズ量検出部１４は、それぞれの箇所の雑音電力の値と、グルーピング化されたグループの番号を表示制御部１５に入力する。表示制御部１５は、異なるグループを示す閾値を示す分割線と、その範囲を示す代表値を表示部３に表示する画面構成する信号を合成し、表示部３に出力する（ステップＳｃ３）。
【００４２】
続いて、ノイズの量を検出する処理の終了判定が行われる。ノイズの量を検出する処理は、前述のステップＳａ４と同じ処理が行われ、制御部１９が、ノイズの量を検出する処理の終了判定において終了と判定しない場合、すなわちレリーズ釦４−２が解放されたと判定しない場合には、ノイズの量を検出する処理を継続し、ステップＳｃ２からの処理を繰り返す（ステップＳｃ４）。
【００４３】
上記に示した処理により、表示部に動画で表示した映像（ライブビュー画像）にスーパーインポーズしてノイズの量を等高線などによって表示することで、その視認性を向上させて表示することが可能となり、ノイズの量を容易に把握することができ、撮影に集中することを可能にする。領域の範囲を等高線によって示すだけでなく、領域の範囲ごとに同じ色で着色して示すことで、数値による表示に加えて領域の範囲の視認性をあげることが可能となる。
【００４４】
（第４実施形態）
図９は、撮像装置の構成を示すブロック図である。
この図に示される撮像装置２００は、表示部３、操作入力部４、撮像部１１、ＡＤ変換部１２、信号処理部２１３、ノイズ量検出部２１４、表示制御部２１５（ノイズレベル表示部）、記録処理部１６、記憶部１７、操作入力処理部１８、制御部２１９を備える。ＡＤ変換部１２及びノイズ量検出部２１４とを合わせて、ノイズ量検出部２２０という。
撮像装置２００は、図１に示した撮像装置１００と同じ外観を有する。
図１、図２に示した構成と同じ構成には、同じ符号を付し、異なる信号処理部２１３、ノイズ量検出部２１４、表示制御部２１５、及び制御部２１９について示す。
【００４５】
撮像装置２００において信号処理部２１３は、デジタル信号に変換された映像信号に対して、階調処理、スケール変換処理、特徴抽出処理などを行い表示用映像信号を出力する。また、信号処理部２１３は、階調処理、スケール変換処理の必要な演算処理を行い、記録用の映像情報を出力する。
【００４６】
ノイズ量検出部２１４は、デジタル信号に変換された映像信号に含まれるノイズの量を検出する。検出したノイズの量は、設定される処理に応じた演算処理をして出力する。ノイズ量検出部２１４が行う演算処理は、指定された領域のノイズの量の最大値の抽出処理及び平均化処理がある。さらに、ノイズ量検出部２１４は、入力される映像信号から特徴のある被写体を抽出する特徴抽出処理を行う。その特徴抽出処理としては、動きのある被写体の抽出処理、顔の位置抽出処理などがあり、特徴を有する被写体を複数検出することができる。ノイズ量検出部２１４は、検出されたその被写体の位置、大きさなどを記憶領域に割り付けられたテーブルに記憶することができる。特徴抽出処理に用いられる演算処理では、フレーム間差分や、ベクトル処理などの演算処理を用いる。
ノイズ量検出部２１４は、検出された被写体の特徴点情報から、その被写体の位置、大きさで示される情報に基づいて、指定された領域をとなる領域内のノイズの量を抽出することができる。
【００４７】
表示制御部２１５は、信号処理部２１３によって出力された表示用映像信号及びノイズ量検出部２１４が出力するノイズの量を示す信号、制御部２１９からは表示制御に関する制御信号が入力され、表示部３に表示する映像を選択し、また、入力された表示用映像信号及びノイズの量を示す信号の合成処理を行い表示部３に入力する映像信号を出力する。表示制御部２１５は、表示制御部２１５における設定により、表示文字、文字の大きさ、表示位置、表示文字の表示色、表示継続時間、表示の有無などを制御することができる。
【００４８】
制御部２１９は、操作入力処理部１８から入力される信号に基づいて、行う処理に応じて、各種処理部に必要とされる指示を行なって制御する。また、タイミング情報などの変数を設定する。
【００４９】
図１及び図９に示した撮像装置２００を用いて、ノイズの量を表示する異なる実施形態について説明する。
図１０は、第４実施形態におけるノイズの量を表示した表示画面である。
表示部３に割り付けられた表示範囲に表示画面１５１が表示される。その表示画面２３１には、表示制御部２１５から出力された映像信号による映像が表示される。この表示画面２３１には、動画として表示される被写体２３２と、撮像部１１における撮像素子が出力し、その映像表示のもととなる信号に含まれるノイズ量２３３−１と２３３−２が表示される。被写体２３２が信号処理部２１３による動き抽出処理によって抽出され、抽出領域２３４で示される領域が選別される。選別された領域は、他の領域と区別され動きがある被写体２３２が存在すると判定される。
【００５０】
このノイズの量を示す表示では、表示画面２３１が、抽出領域２３４を示す曲線で示される境界線によって分割され、その領域ごとのノイズの量が表示される。この図では、抽出領域２３４の内部と外部のそれぞれのノイズの量を示すノイズ量表示２３３−１と２３３−２によって示される。ノイズ量表示２３３−１と２３３−２をまとめて示すときには、ノイズ量２３３という。
抽出領域２３４の内部では、ノイズ量「６」を示し、その外部では、ノイズ量「１」を示す。
【００５１】
このノイズ量表示２３３は、ノイズ量検出部２１４によって検出され、所定の範囲のノイズの量に応じて分割された結果の閾値が表示される。
このノイズ量表示２３３は、動画で表示される被写体に対応して表示される。そのため、ノイズ量表示２３３は、予め定められた周期によって繰り返して演算処理され、その演算処理結果によって表示される値が更新される。ノイズ量表示２３３は、レリーズ釦４−２の操作が行われると表示が始まり、レリーズ釦４−２を解除すると予め定められた時間まで継続して表示した後、消去される。
【００５２】
ノイズ量表示２３３に示されるノイズの量は、演算モード設定と演算範囲設定からなるノイズ量表示モードの設定に基づいて表示される。
予め設定される演算モード設定に基づいて演算されたノイズの量が表示される。その演算モード設定では、検出したノイズの量に基づき、ノイズの量を示す雑音電力（最大雑音電力、平均雑音電力）又は雑音対信号比（以下、「Ｓ／Ｎ比」という。）のいずれかを選択して表示させることが可能である。ノイズ量表示２３３は、各検出予め定められた表示画面上での分割範囲ごとのノイズの量を表示することができる。その範囲の指定は、演算範囲モード設定によって定められる。演算範囲モード設定は、演算処理の対象とするノイズの量を検出する範囲を選択する設定である。
【００５３】
図１１は、第４実施形態におけるノイズの量を表示する処理のフローチャートである。
ノイズの量を表示する処理として、最初にノイズ量表示モードの設定処理が行われる。
ノイズ量表示モードの設定処理では、表示制御部２１５によって生成された設定処理を行う表示画面が表示部３に表示される。操作入力部４は、ユーザーの操作を検出し、その検出信号の入力処理を操作入力処理部１８が行う。操作入力処理部１８から入力される信号に基づいて、制御部２１９は、演算モード設定と演算範囲設定の入力指示を検出する。制御部２１９は、入力指示の検出結果を内部に備える記憶領域に記録するとともに、ノイズ量検出部２１４及び表示制御部２１５に指示をする。入力指示の検出結果は、演算モード設定が「雑音電力（平均雑音電力）」とし、演算範囲設定は「被写体追従表示画面」とする。表示制御部２１５は、入力された指示にしたがって、ノイズ量表示モード設定の設定内容を表示する（ステップＳｄ１）。
【００５４】
続いて、撮像処理が行われる。撮像処理は、前述のステップＳａ２と同じ処理とする（ステップＳｄ２）。
続いて、主要被写体の抽出処理が行われる。主要被写体の抽出処理では、信号処理部２１４が、被写体の位置を抽出する処理を行う。抽出処理の結果、被写体が存在する位置を特定し、その範囲を示す情報を内部の記憶領域に記憶する（ステップＳｄ３）。
【００５５】
続いて、ノイズの量を検出する処理が行われる。ノイズの量を検出する処理では、ノイズ量検出部２１４は、制御部２１９によって指示された演算モード設定と演算範囲設定に基づいてノイズの量の検出処を行う。演算範囲として演算範囲設定により「被写体追従表示画面」を指示されることから、ノイズ量検出部２１４は、表示部３に表示される画面において特徴のある被写体として抽出した領域２３４と、その他の領域について、それぞれのノイズの量を検出する箇所の雑音電力を抽出する。表示するノイズの量が平均雑音電力による雑音電力量を指示されることから、ノイズ量検出部２１４は、抽出したノイズの量を検出する箇所のそれぞれの雑音電力の平均化処理を行い、表示制御部２１５に入力する。表示制御部２１５は、撮像部１１が出力し信号処理部２１３を介して入力される映像信号と、ノイズ量検出部２１４から入力されたノイズの量を示す情報から。表示部３に表示する画面を構成する信号を合成し、表示部３に出力する（ステップＳｄ４）。
【００５６】
続いて、ノイズの量を検出する処理の終了判定が行われる。ノイズの量を検出する処理は、前述のステップＳａ４と同じ処理が行われ、制御部１９が、ノイズの量を検出する処理の終了判定において終了と判定しない場合、すなわちレリーズ釦４−２が解放されたと判定しない場合には、ノイズの量を検出する処理を継続し、ステップＳｄ２からの処理を繰り返す（ステップＳｄ５）。
【００５７】
上記に示した処理により、撮影する画像の構図やシーンに応じて変化するノイズの量を確認しながら撮影することが可能になる。撮影する画像から被写体の特徴を用いて、抽出することができ、被写体が示される位置を随時検出し、その被写体とその他の領域に分けて、ノイズの量を考慮した撮影を行うことが可能になる。
【００５８】
なお、本発明は、上記の各実施形態に限定されるものではなく、本発明の趣旨を逸脱しない範囲で変更可能である。本発明の撮像装置における、予め定められる画面の分割は、等間隔に均等に分割されるものとして示したが、示した分割数以外の分割も可能である。また、中心付近を細かく分割する、画面の特定部分のみを細かく分割するなど他の分割方法を選択することもできる。利用目的を想定した分割方法を定義しておくことで、その定義の中からいずれかを選んで動作させることが可能となる。
また、ノイズの量が同じ範囲を示す等高線の間隔は、任意に設定することができ、曲線に限らず直線の組み合わせとすることも可能である。
【００５９】
また、ノイズの量が同じ範囲を示す部分の着色も、閾値で定められた範囲の部分のみとすることもできる。例えば、画面の中の特定の場所が、ノイズの量が多く画質に大きく影響を与えうることを示すことができる。その表示が出ないように、構図や設定を変更することにより良質の撮影を行うことが可能となる。
また、ノイズの量の表示を行う箇所を、ファインダーの代わりに用いられる表示部３の表示にスーパーインポーズした数値で表示することとして説明したが、同一の表示部内に分けて表示することとしても良い。或いは、同一の表示部とせずに専用の表示部を設けて分けて表示することとしても良い。その際には、表示部３に表示される映像と、ノイズの量の表示は、同一の視野に入る位置とすることが望ましい。
【００６０】
なお、本発明の撮像部は、撮像部１１である。また、本発明の表示部は、表示部３である。また、本発明の撮像装置は、撮像装置撮像装置１００と撮像装置撮像装置２００である。また、本発明のノイズ量検出部と、ノイズ量検出部１４とノイズ量検出部２１４である。また、本発明のノイズレベル表示部は、表示制御部１５と表示制御部２１５である。
【図面の簡単な説明】
【００６１】
【図１】本発明の第１実施形態における撮像装置を示す外観図である。
【図２】第１実施形態における撮像装置の構成を示すブロック図である。
【図３】第１実施形態におけるノイズ量の表示画面である。
【図４】第１実施形態におけるノイズの量を表示する処理のフローチャートである。
【図５】第２実施形態におけるノイズ量の表示画面である。
【図６】第２実施形態におけるノイズの量を表示する処理のフローチャートである。
【図７】第３実施形態におけるノイズ量の表示画面である。
【図８】第３実施形態におけるノイズの量を表示する処理のフローチャートである。
【図９】第４実施形態における撮像装置の構成を示すブロック図である。
【図１０】第４実施形態におけるノイズ量の表示画面である。
【図１１】第４実施形態におけるノイズの量を表示する処理のフローチャートである。
【図１２】従来の実施形態における撮像装置の構成を示すブロック図である。
【図１３】従来の実施形態における撮像装置の表示画面である。
【符号の説明】
【００６２】
１００  撮像装置
３  表示部
４  操作部
１１  撮像部
１２  ＡＤ変換部
１３  信号処理部
１４  ノイズ量検出部
１５  表示制御部
１６  記録処理部
１７  記憶部
１８  操作入力処理部
１９  制御部
【図１】
2010114670.tif 000003
【図２】
2010114670.tif 000004
【図３】
2010114670.tif 000005
【図４】
2010114670.tif 000006
【図５】
2010114670.tif 000007
【図６】
2010114670.tif 000008
【図７】
2010114670.tif 000009
【図８】
2010114670.tif 000010
【図９】
2010114670.tif 000011
【図１０】
2010114670.tif 000012
【図１１】
2010114670.tif 000013
【図１２】
2010114670.tif 000014
【図１３】
2010114670.tif 000015